(57)【要約】【課題】ペン先部を有効に保護できるキャップ及びこれを用いる入力ペンを提供することである。【解決手段】本発明に係る本発明に係る入力ペンは、ペン立て部と、前記ペン立て部内に伸縮できるように装着されるペン芯部と、前記ペン芯部に被せる前記キャップと、を備える。前記キャップは、入力ペンのペン先部を保護するために用いられ、筒状部と、前記筒状部内に装着され且つ互いに係合する当止部材及び補強部材と、を備える。前記当止部材は当止部を含み、前記当止部には前記ペン先部の外周面に当止される当接面が設置される。【選択図】図１
2011198351.tif 000002
【特許請求の範囲】
【請求項１】
入力ペンのペン先部を保護するために用いられるキャップであって、
前記キャップは筒状部と、前記筒状部内に装着され且つ互いに係合する当止部材及び補強部材と、を備え、
前記当止部材は当止部を含み、前記当止部には前記ペン先部の外周面に当止される当接面が設置されることを特徴とするキャップ。
【請求項２】
前記当止部材は前記当止部に連接する係止部をさらに含み、前記筒状部の内壁には係合部が凸設されており、
前記係合部と前記係止部とを組み合せることにより、前記当止部材を前記筒状部内に固定することを特徴とする請求項１に記載のキャップ。
【請求項３】
前記係止部は止め板、前記止め板と前記当止部を連接する連結板及び前記連結板上に凸設される位置決め部を含み、
前記筒状部の係合部は、前記止め板と前記位置決め部との間に挟持されることを特徴とする請求項２に記載のキャップ。
【請求項４】
前記当止部には前記タッチ部を収納するための収容部が開設され、前記当接面は前記収容部の開口部位に設けられることを特徴とする請求項１に記載のキャップ。
【請求項５】
前記当止部の両側には凹溝がさらに開設され、前記凹溝の片側の側壁には係止フックが凸設され、前記補強部材は前記係止フックに係合されるクリップを含むことを特徴とする請求項１に記載のキャップ。
【請求項６】
ペン立て部と、前記ペン立て部内に伸縮できるように装着されるペン芯部と、前記ペン芯部に被せるキャップと、を備える入力ペンであって、
前記キャップは、請求項１乃至請求項５の何れか一項に記載のキャップであることを特徴とする入力ペン。
【発明の詳細な説明】
【技術分野】
【０００１】
本発明は、キャップに関し、特に入力ペンに応用されるキャップに関するものである。
【背景技術】
【０００２】
タッチパネル技術の発展に伴い、現在市販されている携帯電話、個人用携帯情報端末（ＰＤＡ）及びパソコン等の携帯式電子装置は殆んどタッチスクリーンを採用する。これらの携帯式電子装置は、一般的に入力ペンを入力手段とする。従来のタッチペンは、通常携帯式電子装置の内部に内蔵されて携帯式電子装置内の空間を占用する。前記問題を解決するために外掛け式の入力ペンが設計される。これらの入力ペンは、スライドして伸長できるロッド部及びキャップを備える。前記ロッド部の一端にはペン先部を有し、前記キャップは前記入力ペンのペン先部に被せて前記ペン先部を保護することに用いられる。使用する場合、まず前記ペン先部上に係合されるキャップを取り外して、手で前記入力ペンのロッド部を長く引っ張る。また、前記ロッド部を収縮する場合、手で前記ペン先部をペン立て部内に押し込む。このようにすることで、前記ペン先部のタッチ部は損害され易くなる。
【発明の概要】
【発明が解決しようとする課題】
【０００３】
以上の問題点に鑑みて、本発明は、ペン先部を効果的に保護できるキャップ及びこれを用いる入力ペンを提供することを目的とする。
【課題を解決するための手段】
【０００４】
前記問題を解決するために、本発明に係るキャップは、入力ペンのペン先部を保護するために用いられ、筒状部と、前記筒状部内に装着され且つ互いに係合する当止部材及び補強部材と、を備える。前記当止部材は当止部を含み、前記当止部には前記ペン先部の外周面に当止される当接面が設置される。
【０００５】
また、本発明に係る入力ペンは、ペン立て部と、前記ペン立て部内に伸縮できるように装着されるペン芯部と、前記ペン芯部に被せられるキャップと、を備える。前記キャップは、入力ペンのペン先部を保護するために用いられ、筒状部と、前記筒状部内に装着され且つ互いに係合する当止部材及び補強部材と、を備える。前記当止部材は当止部を含み、前記当止部には前記ペン先部の外周面に当止される当接面が設置される。
【発明の効果】
【０００６】
本発明の入力ペンにおいて、引き出されたペン芯部をペン立て部内に収納する場合は、前記キャップを前記ペン先部上に被せてから、前記ペン立て部に向かって前記キャップを推進させると、前記キャップの当止部材の当接面は前記ペン先部の外周面を推進させ、前記ペン芯部を前記ペン立て部内に収納させる。従って、ユーザーの手は前記ペン先部のタッチ部に直接に接触せず、前記ペン先部を保護する。
【図面の簡単な説明】
【０００７】
【図１】本発明の実施形態に係るキャップを利用した入力ペンの立体分解図である。
【図２】図１に示す入力ペンを別の視点から見た立体分解図である。
【図３】図１に示す入力ペンの組立図である。
【図４】図３に示す入力ペンのキャップを示す拡大分解図である。
【図５】図３に示す入力ペンの局部断面図である。
【図６】図３に示す入力ペンが長く伸長された状態を示す図である。
【発明を実施するための形態】
【０００８】
本発明に係る入力ペンは、移動電話、個人用携帯情報端末（ＰＤＡ）及びパソコン等の携帯電子装置に適用する。以下、図面に基づいて、本発明の実施形態に係るキャップを利用した入力ペンについて詳細に説明する。
【０００９】
図１に示したように、本発明の入力ペン１００は、ペン立て部１０と、前記ペン立て部１０内に伸縮できるように収納されるペン芯部２０と、それぞれ前記ペン立て部１０の両端に固定される第一位置決め部材３０及び第二位置決め部材４０と、前記ペン芯部２０を着脱可能に被せるキャップ５０と、を備える。前記第一位置決め部材３０は、固定ピン６０を介して前記ペン立て部１０上に固定される。前記ペン芯部２０は、位置決めピン７０を介して前記第一位置決め部材３０及び第二位置決め部材４０に順次に係止される。
【００１０】
前記ペン立て部１０は中空の略矩形柱状体であり、４つの側壁１２から構成される。前記４つの側壁１２が囲んで前記ペン芯部２０を収納するための収容空洞部１２１を形成する。前記ペン芯部２０が前記ペン立て部１０に相対して回転しないように、前記収容空洞部１２１は三角形のような非円形状の横断面を有する柱状体であってもよい。
【００１１】
また、前記ペン立て部１０の対向する２つの側壁１２の一端には、前記２つの側壁１２を貫通する２つの固定穴１２２が同軸となるように設けられて、前記固定ピン６０を装着することに用いられる。前記２つの側壁の内表面には、前記第二位置部材４０を固定するための板片１２４（図２を参照）が向き合うように凸設されている。
【００１２】
前記ペン芯部２０は、ロッド部２２及び前記ロッド部２２に連結するペン先部２４を含む。前記ロッド部２２と前記ペン先部２４との接続部位にはリング状の係止溝２６が開設されている。前記ロッド部２２は、前記ペン立て部１０内に収納でき、且つその軸方向に沿って前記第一位置決め部材３０を部分的に収納するための収容空洞部２２２が設けられる。前記ロッド部２２の対向する２つの側壁には、前記位置決めピン７０を装着するための２つの貫通孔２２４が同軸に設けられている。前記ペン先部２４の頂端には、携帯式電子装置のタッチパネル（図示せず）をタッチするためのタッチ部２４２が設置されている。
【００１３】
前記第一位置決め部材３０は、前記収容空洞部１２１の一端の開口を覆う止め板３２、前記位置決めピン７０を挟持する２つの挟持アーム３４及び前記止め板３２と前記挟持アーム３４との間に設置される円筒部３６を含む。前記２つの挟持アーム３４は間隔をあけて上下平行して設置される。各挟持アーム３４における他方の挟持アーム３４に向かう表面には、前記位置決めピン７０を収納するための第一係止凹溝３４２が開設されており、且つ前記２つの挟持アーム３４の第一係止凹溝３４２は対向して設置される。前記固定ピン６０を前記ペン立て部１０の１つの固定穴１２２、前記第一位置決め部材３０円筒部３６及び前記ペン立て部１０の他の１つの固定穴１２２に順次に貫かせて、前記第一位置決め部材３０を前記ペン立て部１０の一端に固定する。
【００１４】
前記第二位置決め部材４０は、本体部４２及び前記本体部４２の前記ペン立て部１０に向かう一端から延伸する２つの係止部４４を含む。前記本体部４２の対向する２つの側壁には２つのＵ型溝４２２が対称的に開設されるので、前記２つの側壁にはそれぞれ１つの位置決め片４２４が形成される。各位置決め片４２４における他方の位置決め片４２４に背離する表面には凹所４２４２が凹んで設置される。前記ペン立て１０の板片１２４が前記凹所４２４２に係合して、前記第二位置決め部材４０は前記ペン立て１０に固定される。各係止部４４は間隔をあけて上下平行して設置される２つの係止アーム４４２を含み、各係止アーム４４２における他方の係止アーム４４２に向う端面には、１つの第二係止凹溝４４２２が形成される。前記位置決めピン７０の１つの端部は、前記１つの係止部４４の２つの係止アーム４４２の第二係止凹溝４４２２から構成される係止穴（図示せず）内に係止される。
【００１５】
前記キャップ５０は、筒状部５２と、前記筒状部５２内に固定される当止部材５４と、前記筒状部５２内に固定され且つ前記当止部材５４に係合する補強部材５６と、前記当止部材５４に装着されるストラップ５８と、を備える。
【００１６】
図２を一緒に参照すると、前記筒状部５２は、周壁５２２及び前記周壁５２２によって囲まれて構成される収容空洞部５２４を含む。前記周壁５２２の内表面には２つの係止部５２２２及び２つの係合部５２２４が凸設されている。前記２つの係止部５２２２は、前記筒状部５２の一端に隣接して対向して設置されており、前記補強部材５６を固定するために用いられる。前記２つの係合部５２２４は、前記筒状部５２の他端に隣接して対向して設置されており、前記当止部材５４を固定するために用いられる。
【００１７】
前記当止部材５４は、前記ペン芯部２０のタッチ部２４２を保護するための当止部５４２、前記ストラップ５８を位置決める筐状部５４４、前記当止部５４２と前記筐状部５４４とを連接する４つの連結板５４６を含む。
【００１８】
前記当止部５４２の中央部には、前記タッチ部２４２を収納するための収容部５４２２が設置される。前記収容部５４２２の開口部位には、前記ペン先部２４の外周面に当止される楔型の当接面５４２４が設けられる。前記当止部５４２の相対する２つの側壁にはそれぞれ１つの凹溝５４２６が開設される。前記凹溝５４２６を形成する１つの側壁には、前記補強部材５６と係合するための係止フック５４２８が凸設される。
【００１９】
前記筐状部５４４の中部には、貫通孔５４４２が設けられる。前記対向して設置される一対の連結板５４６には、それぞれ１つの位置決め部５４６２が凸設されている。前記筒状部５２の係合部５２２４は、前記位置決め部５４６２と前記筐状部５４４との間に係止される。
【００２０】
前記補強部材５６は、本体部５６２及び前記本体部５６２から延伸するクリップ５６４を含む。前記本体部５６２の内壁５６２２には、前記ペン芯部２０の係止溝２６内に解除可能に係合される２つの係止部５６２４が対向して凸設される。前記本体部５６２の外壁５６２６には２つの凹所５６２８が相対向して開設される。前記当止部材５４の２つの係止部５２２２は前記２つの凹所５６２８に係合して、前記補強部材５６は前記筒状部５２に固定される。前記外壁５６２６における前記凹所５６２８の片側には、前記クリップ５６４に向けてガイド面５６２９が斜めに設けられる。前記筒状部５２の２つの係止部５２２２は前記ガイド面５６２９に導かれて前記２つの凹所５６２８内に順調に係合する。
【００２１】
前記ストラップ５８は、固定部５８２及び前記固定部５８２の片側に掛止される縄部５８４を含む。前記固定部５８２は前記当止部材５４内に固定され、前記縄部５８４は前記貫通孔５４４２を貫いて前記当止部材５４から引き出される。
【００２２】
以下、本発明に係る入力ペン１００の組立ステップを図１乃至図５を参照しながら詳細に説明する。
【００２３】
まず、前記第一位置決め部材３０の２つの挟持アーム３４及び円筒部３６を前記ペン立て部１０内に収納して、前記円筒部３６と前記固定穴１２２とを位置合わせしてから、前記固定ピン６０を前記固定穴１２２及び前記円筒部３６に挿入して、前記第一位置決め部材３０を前記ペン立て部１０に装着する。次いで、前記位置決めピン７０を前記ペン芯部２０の２つの貫通孔２２４に順次に挿入して、前記位置決めピン７０は前記２つの貫通孔２２４に緊密に係止されるとともに、前記位置決めピン７０の両端は前記２つの貫通孔２２４から露出する。それから、前記位置決めピン７０が前記第一位置決め部材３０の２つの挟持アーム３４の第一係止凹溝３４２に平行するように、前記ペン芯部２０の前記位置決めピン７０が装着された一端を前記ペン立て部１０内に収納する。次いで、前記第二位置決め部材４０の２つの係止部４４を前記ペン立て部１０の方向に向かせて、前記第二位置決め部材４０を前記ペン芯部２０に被せてから、前記位置決めピン７０の露出する両端を前記第二位置決め部材４０の一対の係止穴内にそれぞれロックさせる。その後、前記第二位置決め部材４０を前記ペン立て部１０内に押し込んで、前記ペン立て部１０の板片１２４が前記第二位置決め部材４０の凹所４２４２に係合すると、前記ペン芯部２０は前記ペン立て部１０内に伸縮できるように装着される。
【００２４】
次に、前記ストラップ５８の縄部５８４を前記当止部材５４の収容部５４２２に差し込んでから、前記ストラップ５８の固定部５８２が前記当止部材５４の筐状部５４４に当止するまで、前記当止部材５４の貫通孔５４４２から前記縄部５８４を前記当止部材５４の外へ牽引する。次いで、前記当止部材５４を前記係合部５２２４が設置された一端から前記筒状部５２内に収納して、前記筒状部５２の係合部５２２４が前記当止部材５４の筐状部５４４と位置決め部５４６２との間に係合すると、前記当止部材５４は前記筒状部５２に固定される。その後、前記補強部材５６を前記筒状部５２の他端から前記筒状部５２に装着する過程において、前記筒状部５２の係止部５２２２が最初に前記ガイド面５６２９と当接し、前記補強部材５６をさらに推進させると、前記係止部５２２２は前記ガイド面５６２９を越えて前記補強部材５６の凹所５６２８に係合するとともに、前記補強部材５６のクリップ５６４は前記当止部材５４の凹溝５４２６に沿って移動し且つ最終的に前記係止フック５４２８に係合する。これで、前記キャップ５０の組立が完成される。
【００２５】
最後に、上記組み立てたキャップ５０を前記ペン芯部２０のペン先部２４に被せて、前記キャップ５０の当止部材５４の当接面５４２４を前記ペン先部２４の外表面に当接させる。この際、前記ペン先部２４のタッチ部２４２は、前記当止部材５４又は前記ストラップ５８に接触しない。前記第一位置決め部材３０に向かって前記キャップ５０を推進させて、前記位置決めピン７０の前記ペン芯部２０の２つの貫通孔２２４の間に位置する部分を前記第一位置決め部材３０の第一係止凹溝３４２内に係止させると、前記ペン芯部２０は前記ペン立て部１０内にロックされる。続いて前記キャップ５０を推進させると、前記補強部材５６の係止部５６２４は前記ペン芯部２０の係止溝２６内に係合する。これで、前記入力ペン１００の組立が完成される。
【００２６】
図６に示すように、前記入力ペン１００を使用する場合、前記ペン立て部１０から離れる方向へ前記キャップ５０のストラップ５８又は筒状部５２を引っ張ると、前記位置決めピン７０は前記第一位置決め部材３０の第一係止凹溝３４２から離脱して、前記ペン芯部２０は前記キャップ５０に連動されて前記ペン立て部１０内でスライドする。続いて前記キャップ５０のストラップ５８又は筒状部５２を引っ張ると、前記ペン芯部２０は前記ペン立て部１０に相対して完全に伸長され、前記位置決めピン７０の両端は前記２つの係止部４４の係止穴に係止されて前記ペン芯部２０は前記ペン立て部１０に相対して静止される。最後に、前記キャップ５０のストラップ５８又は筒状部５２を引っ張り、前記キャップ５０の係止部５６２４を前記ペン芯部２０の係止溝２６から離脱させ、前記キャップ５０を取り外して、前記入力ペン１００を使用できるようにする。
【００２７】
前記キャップ５０の係止部５６２４と前記ペン芯部２０の係止溝２６との間の係止力は、前記位置決めピン７０と前記第一位置決め部材３０の第一係止凹溝３４２との間の係止力より大きいため、本発明の入力ペン１００を伸長する過程において、前記ペン芯部２０が完全に伸長された後、前記キャップ５０が前記ペン芯部２０から離脱する。
【００２８】
なお、前記当止部材５４の前記位置決め部５４６２が設置されない連結板５４６を省略してもよい。
【００２９】
なお、本発明において、前記筒状部５２の係合部５２２４を前記当止部材５４の筐状部５４４と前記連結板５４６に設置された位置決め部５４６２との間に挟持することにより、前記当止部材５４を前記筒状部５２に固定する。ここで、前記筐状部５４４、前記連結板５４６及び前記位置決め部５４６２を「係止部」と定義すると、前記当止部材５４を前記筒状部５２に固定できさえすれば、前記「係止部」を凹溝のような他の構造でもよい。
【００３０】
本発明の入力ペン１００において、前記ペン立て部１０から引き出されたペン芯部２０を前記ペン立て部１０内に収納する場合、前記キャップ５０を前記ペン先部２４上に被せてから、前記ペン立て部１０に向けて前記キャップ５０を推進すると、前記当止部材５４の当接面５４２４は前記ペン先部２４の外周面を推進して前記ペン芯部２０を前記ペン立て部１０内に収納させる。従って、ユーザーの手は前記ペン先部２４のタッチ部２４２と直接接触せず、前記ペン先部２４を保護することができる。
【００３１】
しかも、前記ペン芯部２０を前記ペン立て部１０内に収納する際に、前記補強部材５６のクリップ５６４は前記当止部材５４の係止フック５４２８に係合するので、前記当止部材５４が前記ペン先部２４に突き上げられて緩むことが防止され、前記キャップ５０は安定して使用できる。
【００３２】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００３３】
１０        ペン立て部
１２        側壁
２０        ペン芯部
２２        ロッド部
２４        ペン先部
２６        係止溝
３０        第一位置決め部材
３２        止め板
３４        挟持アーム
３６        円筒部
４０        第二位置決め部材
４２        本体部
４４        係止部
５０        キャップ
５２        筒状部
５４        当止部材
５６        補強部材
５８        ストラップ
６０        固定ピン
７０        位置決めピン
１００      入力ペン
１２１      収容空洞部
１２２      固定穴
１２４      板片
２２２      収容空洞部
２２４      貫通孔
２４２      タッチ部
３４２      第一係止凹溝
４２２      Ｕ型溝
４２４      位置決め片
４４２      係止アーム
５２２      周壁
５２４      収容空洞部
５４２      当止部
５４４      筐状部
５４６      連結板
５６２      本体部
５６４      クリップ
５８２      固定部
５８４      縄部
４２４２    凹所
４４２２    第二係止凹溝
５２２２    係止部
５２２４    係合部
５４２２    収容部
５４２４    当接面
５４２６    凹溝
５４２８    係止フック
５４４２    貫通孔
５４６２    位置決め部
５６２２    内壁
５６２４    係止部
５６２６    外壁
５６２８    凹所
５６２９    ガイド面
【図１】
2011198351.tif 000003
【図２】
2011198351.tif 000004
【図３】
2011198351.tif 000005
【図４】
2011198351.tif 000006
【図５】
2011198351.tif 000007
【図６】
2011198351.tif 000008